(57)【特許請求の範囲】
【請求項１】
５本の脚羽根を有する脚体と、脚体の中心部に下端部が取り付けられ高さ調節機能を有する脚支柱と、脚支柱の上端部に取り付けられた座席体等よりなり、前記脚支柱は、ガスシリンダー本体と、ガスシリンダー本体を昇降自在に保持し、下端部が脚体に固定されるサポートチューブより構成され、サポートチューブは、脚体に固定される外筒部と、ガスシリンダー本体を昇降自在で回転不能に支持し、外筒部の上半部内に保持される合成樹脂製のサポート部材より構成され、サポート部材は回転止め螺孔を有し、外筒部に取り付けられる回転止めネジによって、外筒部に回転可能或いは回転不能に支持され、回転止めネジと回転止め螺孔が螺合した状態で、座席体の正面が隣接する２本の脚羽根間の中央部に位置し、座部が最大高さとなった時、回転止めネジが支柱カバーの下端部下方に露出するよう、支柱カバーの上下方向の長さが設定されている事を特徴とする椅子。
【発明の詳細な説明】
【０００１】
【発明の属する技術分野】
本発明は、銀行のテラー用の椅子或いは学童椅子に関するものである。
【０００２】
【従来の技術】
従来、図８、図９に示すように銀行のテラーは、机１ａと一体化された袖キャビネット２ａ、或いは移動可能なサイドキャビネット３ａを左右に並置して業務を行うのが常であり、更に、サービス向上のため、多人数を配して業務処理を図るため、テラーの足元周りのスペース４ａは非常に限られたものとなっていた。  一方、閉店時には反り返って休息をとる事も多く、安定性に優れた５本の脚羽根を有する椅子６ａ（以下５本脚の椅子）を使用する必要があった。
【０００３】
すなわち、５本脚の場合、着席した執務状態では、隣接する２本の脚羽根７ａ，７ａを足元周りのスペース４ａ内に入り込むようにしないと（図９に示す状態）満足な執務姿勢がとれず、又、離席時には、更に２本の脚７ａ、７ａを足元周りのスペース４ａに収納する位置まで椅子を移動させておかないと（図９に示す状態）通路スペース８ａを確保出来ない。
しかしながら、座席体９ａは脚体１０ａに対して回転自在な構成となっているので、座席体９ａの向きと脚体１０ａの向きは一致せず、着席時或いは椅子を収納する時、脚羽根７ａ・・・の端部を度々サイドキャビネット３ａ等の前面に衝突させ、机１ａ等を傷付ける原因となっていた。（図８に示す状態。）
この為、執務時、離席時等、その都度、脚体１０ａの向きを覗き込むように確認しながら椅子を移動させる等、非常に煩雑で使用勝手が悪かった。
【０００４】
一方、学童椅子も、低学年の児童が座席体９ａが回転する椅子を使用すると、十分な体格でない為、床に足が付かず、（学習机の高さが成人の高さに設定して構成されているので、体格の小さい児童が椅子を使用する時は椅子の座席体９ａを高くして使用する。この為、床に足が付かない。）その上、座席体９ａが回転するので非常に使いづらく、又、興味本位から、椅子を回転させて遊ぶことが多く、勉学に集中出来ないと云う問題があった。
【発明が解決しようとする課題】
本発明は、簡単な構造で、座席体の向きを机の正面に向けるだけの操作で、隣接する２本の脚羽根が、確実に足元周りのスペースに入り込み、さらに異なった場所（椅子の使用位置が十分なスペースを有している場所。）或いは、児童がある程度の体格に成長した時期からは、座席体が回転するように選択できる椅子を提供する事を課題とする。
【０００５】
【課題を解決する為の手段】
そこで、上記課題を解決する為、本発明が第一の手段として構成したところは、５本の脚羽根を有する脚体と、脚体の中心部に下端部が取り付けられ高さ調節機能を有する脚支柱と、脚支柱の上端部に取り付けられた座席体等よりなり、前記脚支柱は、ガスシリンダー本体と、ガスシリンダー本体を昇降自在に保持し、下端部が脚体に固定されるサポートチューブより構成され、サポートチューブは、脚体に固定される外筒部と、ガスシリンダー本体を昇降自在で回転不能に支持し、外筒部の上半部内に保持される合成樹脂製のサポート部材より構成され、サポート部材は回転止め螺孔を有し、外筒部に取り付けられる回転止めネジによって、外筒部に回転可能或いは回転不能に支持され、回転止めネジと回転止め螺孔が螺合した状態で、座席体の正面が隣接する２本の脚羽根間の中央部に位置し、座部が最大高さとなった時、回転止めネジが支柱カバーの下端部下方に露出するよう、支柱カバーの上下方向の長さが設定されている点にある。
【０００８】
【実施例】
以下、実施例を図１〜図７に基づいて説明する。
図１において、符号１は座席体を示し、符号２は脚体を示し、符号３は脚支柱を示している。
座席体１は、前側がやや下がり気味に傾斜した座部１１と、座部１１下面に端部が揺動可能に連結された背もたれ杆１２を介して、座部１１の後部上方に設けられた背もたれ部１３と、座部１１下面に配設された脚支柱取付部１４と、脚支柱取付部１４の下面に上端が連結された、下面が開口する円筒形の支柱カバー１５より構成されている。
支柱カバー１５は、側面上部に高さ調節用操作杆１６の先端部が嵌入する嵌入孔１５１と、上端に突出し前記脚支柱取付部１４に係合する係合突起１５２を有している。
【０００９】
脚体２は、正５角形の中心から各角部に放射状に突出する５本の脚羽根２１・・・を有し、脚羽根２１・・・の先端部にキャスター２２・・・が設けられ、中心部に上面が開口する下方が小径となったテーパー状の脚支柱取付凹部２３が形成されている。
脚支柱３は、ガスシリンダー本体３１と、ガスシリンダー本体３１を昇降自在に保持し、下端部が脚体２に形成された脚支柱取付凹部２３に密嵌して固定されるサポートチューブ５より構成されている。
【００１０】
ガスシリンダー本体３１は、図３に示す如く上端部を上方に向かって小径となしたテーパー状の上端固定部３１１と、上端固定部３１１の下方に一体に連設されたシリンダー外筒部３１２と、シリンダー外筒部３１２の下端面中央から下方に、シリンダー外筒部３１２と回転かつ出入自在に突出するピストン軸３１３より構成され、ピストン軸３１３の下端部にはサポートチューブ５の下端面に抜け止め支持されるピストン軸固定部３１４が形成され、シリンダー外筒部３１２の上下方向には回転止め用凸条３０１が形成され、回転止め用凸条３０１の所定寸法上方に、前記高さ調節用操作杆１６の先端部が揺動自在に保持される保持孔３０２が形成されている。
【００１１】
そして、ガスシリンダー本体３１の上端固定部３１１が、座部１１下面に配設された脚支柱取付部１４に形成されたガスシリンダー取付凹部（図示せず。）に密嵌して固定され、座部１１の回転と共にガスシリンダー本体３１も回転する構成となっている。
【００１２】
サポートチューブ５は、図４、図５に示す如く、下端部が下方に向かって小径となるテーパー状で、脚体２に形成された脚支柱取付凹部２３に密嵌して固定される金属製の外筒部５１と、外筒部５１の上半部内に保持され、シリンダー外筒部３１２の上半部に外嵌して、ガスシリンダー本体３１を回転不能に支持する合成樹脂製のサポート部材５２より構成され、金属製の外筒部５１の底部にはガスシリンダー本体３１のピストン軸固定部３１４が抜け止め連結されるシリンダー本体支持部（図示せず。）が形成されている。
【００１３】
そして、外筒部５１の上端部には、貫通孔５００、５００を挿通し、サポート部材５２に形成された回転止め螺孔５０１、５０１に螺合する回転止めネジ５０、５０が取り付けられ、回転止めネジ５０、５０の下方に、外筒部５１に形成された抜け止め螺孔５１０に螺合し、前記サポート部材５２の抜け止めを行う抜け止めネジ５２１、５２１が取り付けられている。
尚、回転止めネジ５０、５０とサポート部材の回転止め螺孔５０１、５０１が螺合した状態で、サポートチューブ５は、隣接する２本の脚羽根２１、２１間の中央部に座席体１１の正面が位置するよう脚体２に連結されている。
【００１４】
サポート部材５２は、図５、図６、図７に示すように、外筒部５１の上端面に当接する上端縁部５２２と、前記回転止め螺孔５０１、５０１と、回転止め螺孔５０１、５０１の下方で、抜け止めネジ５２１、５２１の先端部が位置する、円周廻りに形成された抜け止め凹溝５２３を有して、外筒部５１の上端部内に嵌入する嵌入部５２４と、上端縁部５２２と嵌入部５２４の中央部上端から下方に貫通する、シリンダー外筒部３１２の嵌挿孔５２５と、回転止め用凸条３０１が嵌入する嵌挿孔５２５に連設された回転止め凹溝５２６を有する上下方向に形成された外筒保持部５２７と、外筒保持部５２７の外面から外方に放射状に突出する補強凸条５２８・・・より構成されている。
【００１５】
すなわち、ガスシリンダー本体３１の回転止め用凸条３０１とサポート部材５２の回転止め凹溝５２６と、サポートチューブ５の回転止めネジ５０、５０にて回転止め装置が構成される。
尚、座部１１が最大高さとなった時、回転止めネジ５０が前記支柱カバー１５の下端部下方に露出するよう、支柱カバー１５の上下方向の長さが設定されているので、回転止めが必要でない場所で使用する時、又は回転止めが必要でない時期には、座部１１を最大高さとした後、回転止めネジ５０、５０を取り外すと良い。
この時、サポート部材５２とガスシリンダー本体３１は回転不能状態で、共に外筒部５１に対して回転自在となるが、サポート部材５２の抜け止め凹溝５２３と外筒５１の抜け止めネジ５２１、５２１によってサポート部材５２が上方に抜け出す事はない。
【００１６】
【効果】
本発明は上記の如く構成されているので、次のような効果を有する。
請求項１に記載の本発明によれば、座席体の回転止め状態と、回転可能状態が選択できるので、テラー用の椅子、又は低学年の児童用の椅子としても、或いはそれ以外の場所でも、又、児童がある程度の体格に成長した時にも使用出来非常に使い勝手が良い。
又、座席体と脚体が回転不可の状態で、脚体が５本の脚羽根であっても、座席体の向きを机の正面に向けるだけの操作で、隣接する２本の脚羽根が、確実に足元周りのスペースに入り込む個所に位置するので、机等を傷付けたりする事がなく、テラー用の椅子としても非常に使い勝手が向上する。
さらに、回転止めが必要でない場所で使用する時、又は回転止めが必要でない時期には、座部を最大高さとすれば、回転止めネジが支柱カバーの下端部下方に露出するので、回転止めネジを取り外すとよい。
【図面の簡単な説明】
【図１】  本発明の要部分解斜視図
【図２】  本発明の正面図
【図３】  シリンダー本体の正面図
【図４】  脚支柱の正面図
【図５】  図４のＡーＡ線拡大断面図
【図６】  図５のＢーＢ線断面図
【図７】  サポート部材の斜視図
【図８】  従来例での執務状態を示す説明図
【図９】  従来例での椅子の収納状態を示す説明図
【符号の説明】
１        座席体
２        脚体
２１      脚羽根
３        脚支柱
３１      シリンダー本体
３０１    回転止め用凸条
５        サポートチューブ
５０      回転止ネジ
５１      外筒部
５２      サポート部材
【図１】
0003936559.tif 000002
【図２】
0003936559.tif 000003
【図３】
0003936559.tif 000004
【図４】
0003936559.tif 000005
【図５】
0003936559.tif 000006
【図６】
0003936559.tif 000007
【図７】
0003936559.tif 000008
【図８】
0003936559.tif 000009
【図９】
0003936559.tif 000010